(57)【要約】本発明は、あるエリア（１６）の雰囲気を適応させて現在の雰囲気状態を確立するよう構成されている雰囲気レンダリング・システム（１４）と、事象の発生に関係するデータおよび雰囲気状態を有するデータ記憶部であって、各事象は特定の雰囲気状態に関連付けられている、データ記憶部（１２）と、事象の発生に関係する前記データに基づいて次の事象までの推定時間を決定するよう構成されたプロセッサとを有する雰囲気制御システム（１０）の動作方法に関する。次の事象が現在の雰囲気状態とは異なる雰囲気状態に関係するならば、前記雰囲気レンダリング・システム（１４）（１０）は前記エリア（１６）の雰囲気を次の雰囲気状態に合うよう徐々に適応させるよう構成されており、当該方法は、現在の雰囲気状態を判別する段階と、次の事象までの推定時間を決定する段階と、次の事象までの前記推定時間に基づいてエリア（１６）雰囲気システム（１０）を動作させる段階とを含む。本発明はさらに、事象の発生に関係するデータおよび雰囲気状態を有するデータ記憶部であって、前記事象は特定の雰囲気状態に関連付けられている、データ記憶部（１２）と、前記特定の雰囲気状態に対応するエリア（１６）の雰囲気を適応させるよう構成された雰囲気レンダリング・システム（１４）と、事象の発生に関係する前記データに基づいて次の事象までの推定時間を決定するよう構成されたプロセッサとを有する雰囲気制御システム（１０）に関する。次の事象が現在の雰囲気状態とは異なる雰囲気状態に関係するならば、前記エリア雰囲気システムは前記エリア（１６）の雰囲気を次の雰囲気状態に合うよう徐々に適応させるよう構成されている。
2014510986.tif 000002
【特許請求の範囲】
【請求項１】
雰囲気制御システムを動作させる方法であって、雰囲気制御システムは、
・あるエリアにおける雰囲気を適応させて現在の雰囲気状態を確立するよう構成されている雰囲気レンダリング・システムと、
・事象の発生に関係するデータおよび雰囲気状態を有するデータ記憶部であって、各事象は特定の雰囲気状態に関連付けられている、データ記憶部と、
・事象の発生に関係する前記データに基づいて次の事象までの推定時間を決定するよう構成されたプロセッサとを有し、次の事象が現在の雰囲気状態とは異なる雰囲気状態に関係するならば、前記雰囲気レンダリング・システムは前記エリアの雰囲気を次の雰囲気状態に合うよう徐々に適応させるよう構成されており、
当該方法は：
・現在の雰囲気状態を判別する段階と、
・次の事象までの推定時間を決定する段階と、
・次の事象までの前記推定時間に基づいてエリア雰囲気システムを動作させる段階とを含む、
方法。
【請求項２】
事象発生検出ユニットが設けられており、前記事象発生検出ユニットは、実際の発生および発生時刻を検出するよう構成されており、当該方法は：
・前記事象発生検出ユニットを使って事象の発生を検出し、
・事象の発生の時刻および型を記憶し、
・事象の発生に基づいて一組の事象の確率を更新することを含む、
請求項１記載の方法。
【請求項３】
複数の人々位置装置が設けられており、当該方法は：
特定の人物が前記エリアにおける事象をトリガーする確率を、前記人物の位置に基づいて決定することを含む、
請求項１記載の方法。
【請求項４】
事象の発生に関係する前記データは、使用の間に、エキスパート・システムを使うことによって、事象の実際の発生に基づいて洗練される、請求項１記載の方法。
【請求項５】
雰囲気制御システム（１０）であって：
・事象の発生に関係するデータおよび雰囲気状態を有するデータ記憶部であって、前記事象は特定の雰囲気状態に関連付けられている、データ記憶部と、
・前記特定の雰囲気状態に対応するエリアの雰囲気を適応させるよう構成された雰囲気レンダリング・システムと、
・事象の発生に関係する前記データに基づいて次の事象までの推定時間を決定するよう構成されたプロセッサとを有し、次の事象が現在の雰囲気状態とは異なる雰囲気状態に関係するならば、前記エリア雰囲気システム（１０）は前記エリアの雰囲気を次の雰囲気状態に合うよう徐々に適応させるよう構成されている、
システム。
【請求項６】
前記エリアが患者の部屋、駐車場への通路または建物への歩行路である、請求項５記載の雰囲気制御システム。
【請求項７】
実際の発生および発生時刻を検出するよう構成されている事象発生検出ユニットをさらに有する、請求項５記載の雰囲気制御システムであって、前記データベースが事象の発生時刻を記憶し、前記プロセッサが、事象の発生に基づいて、一組の事象の確率を更新するよう構成されている、雰囲気制御システム。
【請求項８】
前記雰囲気システム（１０）が、照明装置および／またはビデオ装置および／またはオーディオ装置および／または芳香発散装置および／または気象制御装置を有する、請求項５記載の雰囲気制御システム。
【請求項９】
事象の発生に関係するデータは、検出される事象についての入力、以前の事象発生からのパターンおよび予定表または計画立案システム（１０）に基づく期待される事象パターンに基づく、請求項５記載の雰囲気制御システム。
【請求項１０】
人々位置装置を携行する特定の人物が前記エリアにおける事象をトリガーする確率を決定するよう、複数の人々位置装置をさらに有する、請求項５記載の雰囲気制御システム。
【請求項１１】
前記人々位置装置は、電子タグ、レーダー、レーザー、音響モニタリング、ビデオ・モニタリング・システムまたはこれらの組み合わせのうちの一つまたは複数によって構成される、請求項１０記載の雰囲気制御システム。
【請求項１２】
前記複数の人々位置装置は、特定の役割に関係する情報を与えられ、該役割は、患者、医師、看護師、清掃人員、訪問者、病院のポーター、理学療法士、他のケア担当人員、配膳人員の一つである、請求項１０記載の雰囲気制御システム。
【請求項１３】
事象の発生に関係する前記データは、エキスパート・システムを使って、事象の実際の発生に基づいて洗練される、請求項５記載の雰囲気制御システム。
【請求項１４】
各事象が優先度レベルを与えられる、請求項５記載の雰囲気制御システム。
【請求項１５】
挙動検出装置をさらに有しており、該挙動検出装置は、前記エリアにおける諸人物の現在の活動を検出し、該挙動検出装置が室内の患者の活動を検出するよう構成されている場合には、睡眠パターンおよび／または動きもしくは無動きの判定を含む、請求項５記載のシステム。
【発明の詳細な説明】
【技術分野】
【０００１】
本発明は、雰囲気レンダリング（ambience  rendering）システムを制御するシステムおよび方法に関する。
【背景技術】
【０００２】
患者はある種の環境条件においてより速く治癒することが認識されている。将来の患者治癒環境は、患者が、該患者がたとえば十分にリラックスするまたは気分転換をすることにより最適に回復するのを助ける雰囲気にいることを可能にする。そのような雰囲気は柔らかな光またさらには心の落ち着く香りおよび／または音を含むことができる。
【０００３】
この手法の潜在的な問題は、そのような雰囲気が病院スタッフにとって最適な仕事条件を創り出さないということである。たとえば、患者がリラックスするために暗くした照明を好むとしても、看護師は仕事タスクのために明るい光を必要とする。エリア雰囲気に突然の変化があると患者にとっては不快である。雰囲気がより徐々に変化することが好ましい。ケア担当者がタスクを最適かつ適時の仕方で実行するとしたら、雰囲気の速い変化が必要とされる。これら二つの利害は対立する。よって、常に雰囲気が適切かつ最適であるよう、事象を予測し、しかるべく雰囲気を適応させるためのシステムおよび方法を提供することが有利であろう。
【０００４】
雰囲気レンダリング・システムは、他の領域に置かれてもよい。一般に、照明または環境レンダリング・システムの将来のユーザーはシステムが特定のパターンを学習し、やがて起こる事象を予測し、そうした予測された状況に対して適切なシステム挙動をもって適時に対処することを期待するであろうことが予期される。これはたとえば、遅くまで作業していて、駐車場までの大きなオフィスビルまたはキャンパスを通じた照明された通路をありがたく思うオフィスの人々にとって重要となりうる。あるいは、そうした人々が家に近づくとき、もう少しで到着するときに家の正面の照明がすでに明るくなりはじめていることができる。
【０００５】
本発明の発明者は、改善された雰囲気制御システムが有益であることを認識するに至り、結果として、本発明をした。
【発明の概要】
【発明が解決しようとする課題】
【０００６】
雰囲気レンダリング・システムが、やがて起こる事象、たとえばケア担当者の到着を予測することができるようにすることが有利であろう。一般には、本発明は好ましくは、上述の欠点の一つまたは複数を、単独でまたは任意の組み合わせにおいて緩和、軽減または解消しようとする。特に、従来技術の上記の問題または他の問題を解決する方法を提供することが本発明の目的と見なすことができる。
【課題を解決するための手段】
【０００７】
これらの問題の一つまたは複数によりよく対処するため、本発明の第一の側面では、雰囲気制御システムを動作させる方法が提供される。雰囲気制御システムは、あるエリアの雰囲気を適応させて現在の雰囲気状態を確立するよう構成されている雰囲気レンダリング・システムと、事象の発生に関係するデータおよび雰囲気状態を有するデータ記憶部であって、各事象は特定の雰囲気状態に関連付けられている、データ記憶部と、事象の発生に関係する前記データに基づいて次の事象までの推定時間を決定するよう構成されたプロセッサとを有し、次の事象が現在の雰囲気状態とは異なる雰囲気状態に関係するならば、前記雰囲気レンダリング・システムは前記エリアの雰囲気を次の雰囲気状態に合うよう徐々に適応させるよう構成されており、当該方法は、現在の雰囲気状態を判別する段階と、次の事象までの推定時間を決定する段階と、次の事象までの前記推定時間に基づいてエリア雰囲気システムを動作させる段階とを含む。
【０００８】
有利には、事象発生検出ユニットが設けられてもよい。事象発生検出ユニットは、実際の発生および発生時刻を検出するよう構成されている。すると、当該方法は、有利には、前記事象発生検出ユニットを使って事象の発生を検出し、事象の発生の時刻および型を記憶し、事象の発生に基づいて一組の事象の確率を更新することを含む。事象を記録することは、新たな事象の予測を強化すると考えられる。事象の記録は事象発生におけるパターンを判別するために使われてもよい。
【０００９】
有利には、複数の人々位置装置が設けられてもよい。すると、当該方法は、特定の人物が前記エリアにおける事象をトリガーする確率を、前記人物の位置に基づいて決定することを含む。人物の位置は、その人物が前記エリアにはいろうとしている確からしさを修正するために使われてもよい。有利には、事象の発生に関係する前記データは、使用の間に、エキスパート・システムを使うことによって、事象の実際の発生に基づいて洗練される。その際、エキスパート・システムは、よりよい予測をより迅速に得るのを助けてもよい。
【００１０】
さらに、第二の側面では、雰囲気制御システムが提供される。当該システムは、事象の発生に関係するデータおよび雰囲気状態を有するデータ記憶部であって、前記事象は特定の雰囲気状態に関連付けられている、データ記憶部と、前記特定の雰囲気状態に対応するエリアの雰囲気を適応させるよう構成された雰囲気レンダリング・システムと、事象の発生に関係する前記データに基づいて次の事象までの推定時間を決定するよう構成されたプロセッサとを有し、次の事象が現在の雰囲気状態とは異なる雰囲気状態に関係するならば、前記エリア雰囲気システムは前記エリアの雰囲気を次の雰囲気状態に合うよう徐々に適応させるよう構成されている。この第二の側面に基づくシステムは、病院、住居エリア、駐車場、立体駐車場を含むいくつもの環境において有用である。本システムは、次にどの事象が最も起こりそうか、その事象までどのくらい時間があるのが最も確からしいかを判別できる雰囲気制御システムを提供し、その際、該制御システムはそうした情報に基づいて雰囲気レンダリング・システムを制御することができる。
【００１１】
上述したように、本発明は、病院以外の領域にも適用されることができる。一般に、照明または雰囲気生成システムの将来のユーザーは、システムが特定のパターンを学習し、やがて起こる事象を予測し、そうした予測された状況に対して適切なシステム挙動をもって適時に対処することを期待するであろうことが予期される。これは、遅くまで作業していて、駐車場までの大きなオフィスビルまたはキャンパスを通じた照明された通路をありがたく思うオフィスの人々にとって重要となりうる。あるいは、そうした人々が家に近づくとき、もう少しで到着するときに家の正面の照明がすでに明るくなりはじめていることができる。
【００１２】
有利には、上記で論じたように、本発明に基づく雰囲気制御システムはさらに、実際の発生および発生時刻を検出するよう構成されている事象発生検出ユニットを有することができる。前記データベースが事象の発生時刻を記憶する。前記プロセッサは、事象の発生に基づいて、一組の事象の、事象の発生に関係するデータを更新するよう構成されていることができる。これは、事象の発生の確率を洗練または更新することを含むことができる。医師または配偶者が患者を訪問したばかりであれば、新たな予約がすでにスケジュールされているのでない限り、その医師または配偶者が一時間以内に戻る可能性は低い。
【００１３】
有利には、本雰囲気システムは、照明装置および／またはビデオ装置および／またはオーディオ装置および／または芳香発散装置および／または気象制御装置を有していてもよい。実際のシステムに存在している装置の数は、エリアのサイズおよび／または当該システムの所望される効果に依存しうる。当該システムを形成するよういくつかの装置が組み合わされてもよい。たとえば、いくつかの光源が、一つまたは複数の芳香発散装置と組み合わされてもよい。
【００１４】
有利には、事象の発生に関係するデータは、検出される事象についての入力、以前の事象発生からのパターンおよび予定表または計画立案システムに基づく予測される事象パターンに基づいていてもよい。さらに、事象の発生に関係するデータは、事象の発生の確率であってもよい。事象の発生に関係するデータは、エキスパート・システムを使ってトレーニングされてもよい。
【００１５】
有利には、雰囲気制御システムは、さらに、人々位置装置を携行する特定の人物が前記エリアにおける事象をトリガーする確率を決定するよう、複数の人々位置装置を有していてもよい。一または複数の人物の位置を知ることは、その人物が前記エリアにはいりそれにより新たな事象をトリガーする確からしさを決定プロセスの信頼性を高める。その人物が前記エリアに向かって動いていることが検出され、スケジュールがその人物が短時間後にその部屋にいることを示しているならば、これは、その人物が前記エリアにはいる前にしかるべく前記エリアの雰囲気を適応させるための基礎をなすことができる。
【００１６】
有利には、前記人々位置装置は、電子タグ、レーダー、レーザー、音響モニタリング、ビデオ・モニタリング・システムまたはこれらの組み合わせの一つまたは複数によって構成されてもよい。また、前記人々位置装置は、一つまたは複数の基地局と無線接続しているモバイル装置によって構成されてもよく、位置は三角測量または同様の技法によって決定されてもよい。
【００１７】
有利には、前記複数の人々位置装置は、特定の役割に関係する情報を与えられる。該役割は、患者、医師、看護師、清掃人員、訪問者、病院のポーター、理学療法士、他のケア担当人員、配膳人員の一つである。これは、どの人物がタスクを実行しているかを実際に記録することなく、人物が実行するタスクの種別の間の区別を許容する。これは、病院で働いている人の匿名性を保証する。
【００１８】
有利には、事象の発生に関係する前記データは、エキスパート・システムなどを使うことによって、事象の実際の発生に基づいて洗練される。これは、事象の予測が可能な限りよいことを保証する。さらに、事象の発生に関係するパターンが、事象が起こる確率を決定するために使われてもよい。
【００１９】
有利には、各事象は優先度レベルを与えられる。これは、システムが、二つの同じくらい確からしい事象の一方がより重要な事象であると判定することを許容する。事象は、ランクまたは重みを与えられてもよい。
【００２０】
有利には、雰囲気制御システムはさらに、挙動検出装置を有していてもよい。該挙動検出装置は、前記エリアにおける諸人物の現在の活動を検出し、該挙動検出装置が室内の患者の活動を検出するよう構成されているときは、睡眠パターンおよび／または動きもしくは無動きの判定を含む。システムは、患者が室内でテレビを見始める場合に検出し、しかるべく雰囲気を適応させることもできる。
【００２１】
一般に、本発明のさまざまな側面は、本発明の範囲内で可能な任意の仕方で組み合わされ、結合されてもよい。本発明のこれらおよびその他の側面、特徴および／または利点は、以下に記述される実施形態を参照することから明白となり、明確にされるであろう。
【図面の簡単な説明】
【００２２】
本発明の実施形態は、単に例として、図面を参照して記述される。
【図１】システムの概略図である。
【図２】方法の段階の概略図である。
【図３】決定木における状態の概略図である。
【図４】決定木における状態の概略図である。
【図５】道の概略図である。
【図６】二つの状態の概略図である。
【図７】システムの概略図である。
【発明を実施するための形態】
【００２３】
図１は、雰囲気制御システム１０を概略的に示している。システムは、事象の発生に関係するデータおよび雰囲気状態を有するデータ記憶部１２であって、前記事象は特定の雰囲気状態に関連付けられている、データ記憶部と、前記特定の雰囲気状態に対応するエリア１６内の雰囲気を適応させるよう構成された雰囲気レンダリング・システム１４と、事象の発生に関係する前記データに基づいて次の事象までの推定時間を決定するよう構成されたプロセッサとを有し、次の事象が現在の雰囲気状態とは異なる雰囲気状態に関係するならば、前記雰囲気レンダリング・システム１４は前記エリア１６の雰囲気を次の雰囲気状態に合うよう徐々に適応させるよう構成されている。
【００２４】
データ記憶部１２は、データベースなどによって具現されてもよい。データは、ハードドライブ、光学式ドライブ、クラウド記憶システムまたは他の任意の好適な記憶ユニット上に記憶されてもよい。雰囲気レンダリング・システム１４は、照明装置および香り放出装置を含むいくつかのユニットを含んでいてもよい。データ記憶部１２およびプロセッサ２０は、図１に示されるように、ボックス２２内に位置されていてもよい。
【００２５】
香りは選択的に放出されてもよい。放出される香りは、一つまたは複数の香水から構成されていてもよい。香りは、ファンなどを使って放出されてもよい。照明装置は、色および／または強度の点で制御されてもよい。たとえば、照明装置は、いくつかの状況では、明るい白色光を、他の状況では柔らかな黄色光を放出してもよい。ある実施形態では、照明装置は、所望される光強度および／または色を生成するよう光が組み合わされうるよう、複数の光源を含んでいてもよい。
【００２６】
図２は、雰囲気制御システムを動作させる方法２６の諸段階を概略的に示している。雰囲気制御システムは、あるエリアの雰囲気を適応させて現在の雰囲気状態を確立するよう構成されている雰囲気レンダリング・システムと、事象の発生に関係するデータおよび雰囲気状態を有するデータ記憶部であって、各事象は特定の雰囲気状態に関連付けられている、データ記憶部と、事象の発生に関係する前記データに基づいて次の事象までの推定時間を決定するよう構成されたプロセッサとを有し、次の事象が現在の雰囲気状態とは異なる雰囲気状態に関係するならば、前記雰囲気レンダリング・システムは前記エリアの雰囲気を次の雰囲気状態に合うよう徐々に適応させるよう構成されており、当該方法２６は、現在の雰囲気状態２８を判別する段階と、次の事象までの推定時間３０を決定する段階と、次の事象までの前記推定時間に基づいてエリア雰囲気システム３２を動作させる段階とを含む。
【００２７】
本発明のある好ましい実施形態は、感知入力、雰囲気制御手段およびレンダリング・インフラストラクチャーを有する雰囲気生成またはレンダリング・システムを有する。レンダリング・インフラストラクチャーは、照明装置、ビデオおよびオーディオ装置ならびに芳香施与および気象制御装置のような多様なレンダリング要素を含むことができる。
【００２８】
本発明に基づくある実施形態のシステムは、特定の人々が特定の部屋にいるというような特定の状況を検出することができる感知インフラストラクチャーを含む。センサーは、単に人が部屋にはいるのを検出してもよい。それも状況の変化をなしうる。だが、システムは、部屋にはいる人物の間の区別をすることが好ましい。各人物はその部屋において異なる機能または役割をもつことがあるからである。センサーは、たとえば、医師、看護師などがいることまたは患者がいる部屋にはいることを検出してもよい。さらに、システムは、部屋にはいる人物がどの機能を実行するかを予測してもよい。すなわち、医師が単に患者に語りかけようとしている状況と医師が患者を診察しようとしている状況とでは要求される雰囲気に差があることがある。さらに、システムは、有利には、最初、医師が単に患者との面談を実施すると判定され、その談話中に患者を診察することに決める場合、医師が異なる、より適切な雰囲気設定に切り換えることができるよう、手動オーバーライドを有していてもよい。
【００２９】
構想される応用領域は、病院環境における病室であるが、本発明は、他のエリアにおいても適用できる。
【００３０】
そのような感知インフラストラクチャーを実現する一つの可能な方法は、能動的または受動的な電子タグ・システムを利用し、病院内または少なくとも病院の特定の科または病棟内の全員がそのようなタグを身につけることを要求することである。レーダー、レーザー、音響モニタリング、ビデオ・モニタリングまたは種々の感知システムの組み合わせなど、タグを必要としない他の潜在的な感知技術も可能であろう。
【００３１】
感知インフラストラクチャーに加え、期待されるパターンについてのデータが重要でありうる。たとえば、システム１０は、パターンが導出されうるもとになった以前の挙動についてのログ記録されたデータへのアクセスをもつことができる。すると、これらのパターンが、やがて起こる事象を予測するために使用されうる。さらに、どの患者がどの順序で何時に、そして可能性としては誰によって訪問されるかを示す計画データまたは予定表が利用可能であってもよい。しかしながら、遅れおよび他の要因がスケジュールを変えることがあるので、そのようなデータは単に予備的である。上記に加えて、たとえば療法士が訪問するかどうか、あるいは検査のために患者が準備をされる必要があるかどうかまたは親しい人からの見舞いが予定されているかどうかを示す、特定の患者の予定表が利用可能であってもよい。
【００３２】
感知インフラストラクチャーおよび予期されるパターンの両方からの入力に基づいて、システムはパターンを抽出し、たとえば次の60分間にある種の状況（S）が起こる可能性がどれくらいかについての確率p(S)を計算することができる。システムはまた、状況（S）が起こる推定時間（ET:  Estimated  Time）の予測をもする。
【００３３】
本システムが応答できる一組の状況が定義される必要がある。該状況または状態は、下記を含むことができる：
・病室内に医師がいる；
・病室内に配膳人員がいる；
・病室内に清掃人員がいる；
・病室内に看護師がいる；
・病室内に見舞客（単数または複数）がいる；
・病室内に理学療法士がいる。
【００３４】
雰囲気レンダリング・システムによって増強されるべきエリアが通路または他の領域である実施形態では、状況または状態は下記を含むことができる：
・車入れ道路（drive  way）に自動車がある；
・人または自動車がセンサーに近づいてくる；
・人または自動車がセンサーから遠ざかっていく。
【００３５】
雰囲気制御システムは、上記の組の定義された状況に対応する一組の雰囲気設定を有している。状況および／または事象の重み付けまたはランク付けされた重要度があってもよい。たとえば、医師の巡回が見舞客の存在より重要であると決定されることができ、よって医師が巡回に来ているまたは来ようとしているときは、「見舞客雰囲気」より「医師の巡回雰囲気」を優先させてもよい。
【００３６】
抽出予測コンポーネントは、基本的には、それからの期間内にどの状況（S）が起こる可能性が高いかを決定する。このコンポーネントについての流れ図が図３に示されている。過去のおよび計画されているパターンから抽出される、それぞれの新たな検出された事象または暗黙的な事象に基づいて、すべての可能な状況についての確率p(S)が再計算される。次の段階では、発生確率が高い状況だけが考慮されるよう、閾値が使われる。各状況について、現在計算された確率p(S)がこの閾値より上かどうかが検査される。次いで、ある種の発生確からしさをもつ（よって閾値より上の）すべての状況について、ET(S)が計算される。確率がどれも閾値より上でなければ、（患者（単数または複数）のほかは）誰も室内におらず、また、近いうちに誰も室内にいることが予期されていない。よって、室内の雰囲気は、現在の状態を維持するよう設定されることができる。
【００３７】
雰囲気コントローラは、さまざまな状況（S）についての発生の期待時間ET(S)についての情報を受け取る。ET(S)に基づいて、諸状況はタイムライン上にスケジュールされる。このスケジュールおよび他の利用可能な追加パラメータに基づいて、最良の好適な雰囲気遷移が選ばれる。
【００３８】
最良の好適な雰囲気遷移を創り出すために使用できる追加パラメータのいくつかの例は次のとおり：
・環境中の現在の呈示されている雰囲気
・状況（S）の優先度
・状況（S）の確率
・同じである一組の状況（S）における雰囲気パラメータ
・雰囲気A(S)のさまざまなモダリティの重要性。
【００３９】
さらに、人々にとって快いさまざまなモダリティについての遷移経路およびモダリティの組み合わせについての知識が、妨害的でない遷移を保障するために使われることもできる。
【００４０】
追加的な特徴として、雰囲気コントローラは、患者または病院スタッフからの、コントローラの選択された雰囲気より優先する手動入力を許容する。
【００４１】
有利には、事象発生検出ユニットが設けられてもよい。事象発生検出ユニットは、実際の発生および発生時刻を検出するよう構成されている。すると、当該方法は、有利には、前記事象発生検出ユニットを使って事象の発生を検出し、事象の発生の時刻および型を記憶し、事象の発生に基づいて一組の事象の確率を更新することを含んでいてもよい。事象を記録することは、新たな事象の予測を強化すると考えられる。事象の記録は事象発生におけるパターンを判別するために使われてもよい。
【００４２】
有利には、複数の人々位置装置が設けられてもよい。すると、当該方法は、特定の人物が前記エリアにおける事象をトリガーする確率を、前記人物の位置に基づいて決定することを含んでいてもよい。人物の位置は、その人物が前記エリアにはいろうとしている確からしさを修正するために使われてもよい。有利には、事象の発生に関係する前記データは、使用の間に、エキスパート・システムを使うことによって、事象の実際の発生に基づいて洗練される。
【００４３】
先述したように、本発明は、病院以外の他の領域に適用されることもできる。一般に、照明または雰囲気生成システムの将来のユーザーは、システムが特定のパターンを学習し、やがて起こる事象を予測し、そうした予測された状況に対して適切なシステム挙動をもって適時に対処することを期待するであろうことが予期される。これは、遅くまで作業していて、駐車場までの大きなオフィスビルまたはキャンパスを通じた照明された通路をありがたく思うオフィスの人々にとって重要となりうる。あるいは、そうした人々が家に近づくとき、もう少しで到着するときに家の正面の照明がすでに明るくなりはじめていることができる。図５は、路３４を概略的に示しており、参照符号３６で表されるいくつかの光源が道を照らす。センサー３８が道路３４に沿って動く人または車４０の存在を検出する。
【００４４】
有利には、前記エリアは一般に、患者のための部屋、駐車場への通路または住居もしくはオフィスビルといった建物への小道であることができる。
【００４５】
図６は、本システムが楕円によって示される第一の状態４２にあることを概略的に示している。線４４で示されるある事象が起こる。この事象４４が第一の状態４３から第二の状態４６への状態の変化をトリガーする。これは、第一の状態４２において患者が室内で一人で眠っている状況において具現されることができる。事象４４は看護師が、患者に薬を投与する意図を持って部屋にはいってくることであることができる。このタスクを最適に実行するために、室内の雰囲気は、睡眠のための最適な雰囲気より明るくなる必要がある。よって、システムは雰囲気を適応させ、それによりシステムは今や第二の状態４６にある。
【００４６】
図７は、図１のシステムのコンポーネントと同様のコンポーネントをもつシステム１０′を概略的に示している。同様のコンポーネントは同様の参照符号を与えられており、ここで繰り返して論じはしない。図１に示したシステム１０に比べ、システム１０′は追加的な光源４８および芳香施与もしくは放出ユニット５０を有する。
【００４７】
有利には、上記で論じたように、本発明に基づく雰囲気制御システムはさらに、実際の発生および発生時刻を検出するよう構成されている事象発生検出ユニットを有することができる。前記データベースが事象の発生時刻を記憶する。前記プロセッサは、事象の発生に基づいて、一組の事象の、事象の発生に関係するデータを更新するよう構成されていることができる。これは、事象の発生の確率を洗練または更新することを含むことができる。医師または配偶者が患者を訪問したばかりであれば、新たな予約がすでにスケジュールされているのでない限り、その医師または配偶者が一時間以内に戻る可能性は低い。
【００４８】
有利には、本雰囲気システムは、照明装置および／またはビデオ装置および／またはオーディオ装置および／または芳香施与装置および／または気象制御装置を有していてもよい。実際のシステムに存在している装置の数は、エリアのサイズおよび／または当該システムの所望される効果に依存しうる。当該システムを形成するよういくつかの装置が組み合わされてもよい。たとえば、いくつかの光源が、一つまたは複数の芳香施与装置と組み合わされてもよい。
【００４９】
有利には、事象の発生に関係するデータは、検出される事象についての入力、以前の事象発生からのパターンおよび予定表または計画立案システムに基づく予測される事象パターンに基づいていてもよい。さらに、事象の発生に関係するデータは、事象の発生の確率であってもよい。事象の発生に関係するデータは、エキスパート・システムを使ってトレーニングされてもよい。
【００５０】
有利には、雰囲気制御システムは、さらに、人々位置装置を携行する特定の人物が前記エリアにおける事象をトリガーする確率を決定するよう、複数の人々位置装置を有していてもよい。一または複数の人物の位置を知ることは、その人物が前記エリアにはいりそれにより新たな事象をトリガーする確からしさを決定プロセスの信頼性を高める。その人物が前記エリアに向かって動いていることが検出され、スケジュールがその人物が短時間以内にその部屋にいることを示しているならば、これは、その人物が前記エリアにはいる前にしかるべく前記エリアの雰囲気を適応させるための基礎をなすことができる。
【００５１】
有利には、前記人々位置装置は、電子タグ、レーダー、レーザー、音響モニタリング、ビデオ・モニタリング・システムまたはこれらの組み合わせの一つまたは複数によって構成されてもよい。また、前記人々位置装置は、一つまたは複数の基地局と無線接続しているモバイル装置によって構成されてもよく、位置は三角測量または同様の技法によって決定されてもよい。
【００５２】
有利には、前記複数の人々位置装置は、特定の役割に関係する情報を与えられる。該役割は、患者、医師、看護師、清掃人員、訪問者、病院のポーター、理学療法士、他のケア担当人員、配膳人員の一つである。これは、どの人物がタスクを実行しているかを実際に記録することなく、人物が実行するタスクの種別の間の区別を許容する。これは、病院で働いている人の匿名性を保証する。
【００５３】
有利には、事象の発生に関係する前記データは、エキスパート・システムなどを使うことによって、事象の実際の発生に基づいて洗練される。これは、事象の予測が可能な限りよいことを保証する。さらに、事象の発生に関係するパターンが、事象が起こる確率を決定するために使われてもよい。
【００５４】
有利には、各事象は優先度レベルを与えられる。これは、システムが、二つの同じくらい確からしい事象の一方がより重要な事象であると判定することを許容する。事象は、ランクまたは重みを与えられてもよい。
【００５５】
有利には、雰囲気制御システムはさらに、挙動検出装置を有していてもよい。該挙動検出装置は、前記エリアにおける諸人物の現在の活動を検出し、該挙動検出装置が室内の患者の活動を検出するよう構成されているときは、睡眠パターンおよび／または動きもしくは無動きの判定を含む。システムは、患者が室内でテレビを見始める場合に検出し、しかるべく雰囲気を適応させることもできる。
【００５６】
本発明は、図面および以上の記述において詳細に図示され、記述されてきたが、そのような図示および説明は、制約するものではなく、例解もしくは例示するものと考えられるべきである。本発明は開示されている実施形態に限定されるものではない。開示される実施形態に対する他の変形が、特許請求される発明を実施する際に、図面、本開示および付属の請求項の吟味から、当業者によって理解され、実施されることができる。請求項において「有する／含む」の語は他の要素または段階を排除するものではなく、単数形の表現は複数を排除するものではない。単一のプロセッサまたは他のユニットが請求項に記載されるいくつかの項目の機能を充足してもよい。単にある種の施策が互いに異なる従属請求項に記載されているという事実がそれらの施策の組み合わせが有利に利用できないことを示すものではない。コンピュータ・プログラムは、他のハードウェアと一緒にまたは他のハードウェアの一部として供給される光学式記憶媒体または半導体媒体のような好適な媒体上に記憶／分散されてもよいが、インターネットまたは他の有線もしくは無線遠隔通信システムを介するなど他の形で、配送されてもよい。請求項に参照符号があったとしても、範囲を限定するものと解釈すべきではない。
【符号の説明】
【００５７】
１０  システム
１２  データ記憶部
１４  雰囲気レンダリング・システム
１６  エリア
１８  センサー
２０  プロセッサ
２２  ボックス
２４  ベッド
２６  方法
２８  現在の雰囲気状態を決定
３０  推定時刻を決定
３２  エリア雰囲気システムを動作させる
３４  道路
３６  光源
３８  センサー
４０  人または自動車
４２  第一の状態
４４  事象
４６  第二の状態
４８  追加的な光源
５０  香りまたは芳香源
【図１】
2014510986.tif 000003
【図２】
2014510986.tif 000004
【図３】
2014510986.tif 000005
【図４】
2014510986.tif 000006
【図５】
2014510986.tif 000007
【図６】
2014510986.tif 000008
【図７】
2014510986.tif 000009
【国際調査報告】
2014510986.tif 000010
2014510986.tif 000011